(57)【要約】【課題】杭を打つ時の人力で行う作業を機械化した杭打ち機で容易にしようとするものである。【解決手段】ガイド軸金棒の上部にコイル式のバネを通して、打撃用重り金具をガイド軸金棒に通す穴を設け押し上げ受け金具と一体にして通し、電動ギャモーターの歯車と、上下スライドの間隔の両側の上下のそれぞれ歯車に押し上げ金具を設けたチェーンをそれぞれ取り付けて、下部の打撃用重り金具の脱落防止受け金具と一体のガイド金具に杭の打撃受け金具に杭を差し込んで、杭を差し込み杭の下部を目的の位置にして、杭打ち機を上にして垂直に立てて、運転して押し上げ金具を設けたチェーンを連続の回転をさせて、その回転している押し上げ金具で打撃用重り金具の押し上げ受け金具を押し上げて、上部のバネを縮め押し上げ金具の頂点より押し上げ受け金具が外れて、上に圧縮されたバネの反発力で打撃用重り金具が落下して下部の打撃受け金具を打撃して、打撃受け金具に差し込まれている杭を連続した打撃をして杭を打つ様に構成した杭打ち機である。【選択図】　　図１
2004132149.tif 000002
【特許請求の範囲】
【請求項１】
（イ）　打撃用ケースと電動ギャモーターケースを一体にして設ける。
（ロ）　打撃用ケースには、上部の中央で固定して下部の打撃間隔までの長さのガイド軸金棒を設け、その上部には、コイル状のバネを設けて押し上げられて圧縮した反発力を利用するために通し、バネの下にガイド軸金棒に通すための穴を設けた杭を打撃するための打撃用重り金具を通して設け、垂直に上下にスライドさせるためのガイドをさせる様に設ける。
（ハ）　打撃用重り金具の両側には、押し上げられるための押し上げ受け金具（ローラー等）と、直角方向の両側には、回転防止用のガイドローラーと、上下のスライドの途中での斜角防止のガイドローラーをそれぞれ一体にして設ける。
（ニ）　打撃用ケースには、打撃用重り金具を垂直に上下にスライドさせるための間隔の両側の上下にそれぞれ歯車と、打撃用重り金具の両側の回転防止用のガイドローラーと、上下のスライドの途中での斜角防止のガイドローラーをガイドするガイドレールと、杭を打撃する間隔と、下部には打撃用重り金具の脱落防止受け金具を設ける。
（ホ）　脱落防止受け金具は、杭の打撃受け金具を差し込める穴で打撃用重り金具より小さい穴を設け、中空軸の打撃受け金具のガイド金具を一体にして設け、ガイド金具は打撃受け金具を容易に脱着するために立て方向に半割にして片方を脱落防止受け金具に固定して設け、また、杭の太さに対応して反割にした一方には蝶つがいともう一方には固定金具を設ける。
この際、杭の打撃受け金具は、ガイドする中空軸のガイド金具より打撃用ケースの中に差し込まれ杭を打撃する間隔の長さに設け、打撃受け金具がガイド金具から打撃する間隔以上打撃用ケースの中に入らない様にするために両方の下部に凹凸を設け、ガイド金具の下部には打撃受け金具の安全カバーを設ける。。
（ヘ）　杭の打撃受け金具は、杭の太さに対応して杭を差し込める中空軸を設け、上部の打撃受け部は厚めの鉄板で塞ぎ、杭頭の変形及びつぶれを防止するため、熱処理を施し強化して設ける。
（ト）　コイル状のバネと打撃用重り金具を上に押し上げるために、打撃用重り金具の押し上げ受け金具を押し上げるための押し上げ金具を設けたチェーンを設ける。
この際、チェーンの連結部に穴の開いている物を使用して、押し上げ金具にはチェーンの連結部に穴に合わせた穴と連結金具を設けることにより自在に取替え及び加減が容易にできる。
（チ）　電動ギャモーターケースの電動ギャモーターは、左右両軸の物を使用して、両側に打撃用重り金具の押し上げ金具を設けたチェーンを回転させるための歯車とチェーンのたるみを調整するために、電動ギャモーターの取り付け部を長穴にした調整金具と一体にして設け、運転スイッチを設ける。
この際、電動ギャモーターの左右両軸の歯車の歯を同位置にして設け、押し上げ金具を設けたチェーンを回転させて、打撃用重り金具が傾かない様に同位置で押し上げ受け金具を押し上げる。
以上の様に構成して、ガイド軸金棒を設け、ガイド軸金棒の上部にコイル式のバネを通して設け、次に打撃用重り金具をガイド軸金棒に通す穴を設け押し上げ受け金具と一体にして設けて通し、電動ギャモーターの歯車と上下にスライドさせるための間隔の両側の上下のそれぞれ歯車に押し上げ金具を設けたチェーンをそれぞれ取り付けて調整金具で調整して、下部の打撃用重り金具の脱落防止受け金具の杭の打撃受け金具のガイド金具に杭の打撃受け金具に杭を差し込んで、さらに、杭を差し込み杭の下部を目的の位置にして、杭打ち機を上にして垂直に立てて、運転スイッチで運転して押し上げ金具を設けたチェーンを連続の回転をさせて、その回転している押し上げ金具で打撃用重り金具の押し上げ受け金具を押し上げて、上部のバネを縮め押し上げ金具の頂点より押し上げ受け金具が外れて、上に圧縮されたバネの反発力で打撃用重り金具が押し出され落下して、下部の打撃する間隔にある杭の打撃受け金具を打撃して、打撃受け金具に差し込まれている杭を連続した打撃をして杭を打つ様に構成した杭打ち機は自重と打撃用重り金具の打撃で、打撃間隔に差し込んだ杭の打撃受け金具を連続した打撃をして、杭を打つ杭打ち機。
【請求項２】
電動ギャモーター側をカム式にして押し上げ金具側をテコ式にしたの組み合わせや、歯車同士の組み合わせの電動ギャモーター側の歯車と押し上げ側の歯車に押し上げ金具を一体にして組み合わせを設けた請求項１の杭打ち機。
【請求項３】
打撃用ケースと電動ギャモーターケースを一体にして設けたケースは、杭の太さにより使用目的に応じて、打撃用ケースと脱落防止受け金具とガイド金具を使用目的に合わせて設けて、安定してもてる様に取っ手を設け、杭を正確で垂直に打つための下げ振り金具（垂直計）と杭の頭が地面より出る長さを調整するための調整金具を一体にして設けた請求項１の杭打ち機。
【発明の詳細な説明】
【０００１】
【発明の属する技術分野】
この発明は、比較的小規模の杭を打つ際の、木製のカケヤや鋼製の大ハンマーを使用して、人力で打ち込んでいた作業を機械化した杭打ち機で打ち込むことを可能にしようとするのである。その構成は、ガイド軸金棒を設け、ガイド軸金棒の上部にコイル式のバネを通して設け、次に打撃用重り金具をガイド軸金棒に通す穴を設けて左右の両側に押し上げ受け金具を一体にして設けて通し、電動ギャモーターの左右の歯車と、打撃用ケースの上下にスライドさせるための間隔の両側の上下のそれぞれ歯車に、押し上げ金具を設けたチェーンをそれぞれ取り付けて調整金具で調整して、下部の打撃用重り金具の脱落防止受け金具の杭の打撃受け金具ガイド金具に杭の打撃受け金具に杭を差し込んで、杭の下部を目的の位置にして、杭打ち機を上にして垂直に立てて、運転スイッチで運転して押し上げ金具を設けたチェーンを連続の回転をさせて、その回転している押し上げ金具で打撃用重り金具の押し上げ受け金具を押し上げて、上部のバネを縮め押し上げ金具の頂点より押し上げ受け金具が外れて、上に圧縮されたバネの反発力で打撃用重り金具が押し出され落下して、下部の打撃する間隔にある杭の打撃受け金具打撃して、打撃受け金具に差し込まれている杭を打ち込む様に構成した杭打ち機は自重と打撃用重り金具の打撃で、打撃間隔に差し込んだ杭の打撃受け金具を連続した打撃をして、杭を打つことを可能にしようとするものである。
【０００２】
【従来の技術】
従来の杭の打ち込み方法は、
（イ）　建築現場等での仮囲いをするために、単管パイプを杭として打ち込む際には、鋼製の大ハンマーを使用して、人力で打ち込んでいるため個人の体力の差があり均一な作業ができない。
（ロ）　また、ひとりが杭を持ち垂直を調整して、もうひとりが鋼製の大ハンマーで杭の頭を正確に狙って打つ作業となり、熟練及び技術を要し、重労働なので複数の人員で交代しながらの作業になり体力を使うため、敬遠される作業のひとつである。
（ハ）　さらに、軟弱地盤等では杭を深く打ち込まなくてはならなく、それだけ長い杭を使用するために、踏み台や脚立を使用した作業になり、体勢が不安定になり危険で力が入らず困難な作業である。
（ニ）　造園等で使用される木の杭を打ち込む際にも、木製のカケヤや鋼製の大ハンマーを使用して振り回すため、危険作業となり上記の作業と同様である。
以上の様に、大規模な杭打ちには、さまざまな機械があるが、比較的小規模の杭打ちには、適当な機械がないために、いまでも人力で体力のいる作業となり危険を伴うために敬遠される作業のひとつとなっている。
【０００３】
【発明が解決しようとする課題】
本発明は、上記の欠点を解消して、比較的小規模の杭を打つ時の人力で行う作業を機械化した杭打ち機で容易にして、杭打ち作業を安全に、労力を軽減し、省力化しようとするものである。
【０００４】
【課題を解決するための手段】
上記目的を達成するための手段を図面に追いながら説明すれば、
（イ）　打撃用ケース１と電動ギャモーターケース２を一体にして設ける。
（ロ）　打撃用ケース１には、上部の中央で固定して下部の打撃間隔までの長さのガイド軸金棒３を設け、その上部には、コイル状のバネ４を設けて押し上げられて圧縮した反発力を利用するために通し、バネ４の下にガイド軸金棒３に通すための穴を設けた杭５を打撃するための打撃用重り金具６を通して設け、垂直に上下にスライドさせるためのガイドをさせる様に設ける。
（ハ）　打撃用重り金具６の両側には、押し上げられるための押し上げ受け金具７と、直角方向の両側には、回転防止用のガイドローラー８と、上下のスライドの途中での斜角防止のガイドローラー９をそれぞれ一体にして設ける。
（ニ）　打撃用ケース１には、打撃用重り金具６を垂直に上下にスライドさせるための間隔の両側の上下にそれぞれ歯車１０と、打撃用重り金具６の両側の回転防止用のガイドローラー８と、上下のスライドの途中での斜角防止のガイドローラー９をガイドするガイドレール１１と、杭５を打撃する間隔と、下部には打撃用重り金具６の脱落防止受け金具１２を設ける。
（ホ）　脱落防止受け金具１２は、杭５の打撃受け金具１３を差し込める穴で打撃用重り金具６より小さい穴を設け、中空軸の打撃受け金具１３のガイド金具１４を一体にして設け、ガイド金具１４は打撃受け金具１３を容易に脱着するために立て方向に半割にして片方を脱落防止受け金具１２に固定して設け、また、杭５の太さに対応して半割にした一方には蝶つがい１５ともう一方には固定金具１６を設ける。
この際、杭５の打撃受け金具１３は、ガイドする中空軸のガイド金具１４より打撃用ケース１の中に差し込まれ杭５を打撃する間隔の長さに設け、打撃受け金具１３がガイド金具１４から打撃する間隔以上打撃用ケース１の中に入らない様にするために両方の下部に凹凸を設け、ガイド金具１４の下部には打撃受け金具１３の安全カバー１７を設ける。
（ヘ）　杭５の打撃受け金具１３は、杭５の太さに対応して杭５を差し込める中空軸を設け、上部の打撃受け部は厚めの鉄板で塞ぎ、杭頭の変形及びつぶれを防止するため、熱処理を施し強化して設ける。
（ト）　コイル状のバネ４と打撃用重り金具６を上に押し上げるために、打撃用重り金具６の押し上げ受け金具７を押し上げるため押し上げ金具１８を設けたチェーン１９を設け、この際、チェーン１９の連結部に穴の開いている物を使用して、押し上げ金具７にはチェーン１９の連結部に穴に合わせた穴と連結金具２０を設けることにより自在に取替え及び加減が容易にできる。
（チ）　電動ギャモーターケース２の電動ギャモーター２１は回転軸を左右両軸の物を使用して、両側に打撃用重り金具６の押し上げ金具７を設けたチェーン１９を回転させるための歯車２２とチェーン１９のたるみを調整するために電動ギャモーター２１の取り付け部を長穴にした調整金具２３と一体にして設け、運転スイッチ２４を設ける。
この際、電動ギャモーター２１の左右両軸の歯車２２の歯を同位置にして設け、押し上げ金具７を設けたチェーン１９を回転させて、打撃用重り金具６が傾かない様に同位置で押し上げ受け金具７を押し上げる。
以上の様に構成して、ガイド軸金棒３を設け、ガイド軸金棒３の上部にコイル式のバネ４を通して設け、次に打撃用重り金具６をガイド軸金棒３に通す穴を設け押し上げ受け金具７と一体にして設けて通し、電動ギャモーター２１の歯車２２と、上下にスライドさせるための間隔の両側の上下のそれぞれ歯車１０に押し上げ金具７を設けたチェーン１９をそれぞれ取り付けて調整金具２３で調整して組み立てて、下部の打撃用重り金具６の脱落防止受け金具１２と一体の、杭５の打撃受け金具１３のガイド金具１４に杭５の打撃受け金具１３に杭を差し込んで、さらに杭５を差し込み杭５の下部を目的の位置にして、杭打ち機２５を上にして垂直に立てて、運転スイッチ２４で運転して押し上げ金具１８を設けたチェーン１９を連続の回転をさせて、その回転している押し上げ金具１８で打撃用重り金具６の押し上げ受け金具７を押し上げて、上部のバネ４を縮め押し上げ金具１８の頂点より押し上げ受け金具７が外れて、上に圧縮されたバネ４の反発力で打撃用重り金具６が押し出され落下して、下部の打撃する間隔にある杭５の打撃受け金具１３を打撃して、打撃受け金具１３に差し込まれている杭５を連続した打撃をして杭５を打つ様に構成した杭打ち機２５である。
この際、打撃用ケース１と電動ギャモーターケース２を一体にして設けたケースは、杭５の太さにより使用目的に応じて、打撃用ケース１と脱落防止受け金具１２とガイド金具１４を使用目的に合わせて設けて、安定してもてる様に取っ手２７を設け、杭５を正確で垂直に打つための下げ振り金具（垂直計）２８と杭５の頭が地面より出る長さを調整するための調整金具２６を一体にして設ける。
また、本発明の杭打ち機の構成は、電動ギャモーター２１側をカム式にして押し上げ金具７側をテコ式にした組み合わせや歯車同士の組み合わせの電動ギャモーター２１の歯車２２と押し上げ側の歯車１０に押し上げ金具７を一体にして組み合わせを設けることができる。
【０００５】
【発明の実施の形態】
本発明は、以上の様な構成ですから、これを使用するときは、
この杭打ち機２５を使用するには、杭５を打つ位置に置き下部の打撃用重り金具６の脱落防止受け金具１２と一体の、杭５の打撃受け金具１３のガイド金具１４を閉じて固定金具１６で固定して杭５の打撃受け金具１３に杭５を差し込んで、杭５の下部を目的の位置にして、取っ手２６を持ち杭打ち機２５を上にして垂直に立てて、杭５を垂直で正確に打てる様に下げ振り金具（垂直計）２７で調整しながら垂直に持ち、運転スイッチ２４で運転して押し上げ金具１８を設けたチェーン１９を連続の回転をさせて、その回転している押し上げ金具１８で打撃用重り金具６の押し上げ受け金具７を押し上げて、上部のバネ４を縮めて押し上げ金具１８の頂点より押し上げ受け金具７が外れて、上に圧縮されたバネ４の反発力で打撃用重り金具６が押し出され落下して、下部の打撃する間隔にある杭５の打撃受け金具１３を打撃して、打撃受け金具１３に差し込まれている杭５を連続した打撃をして杭５を打ち、取っ手２６の杭５の頭が地面より出る長さを調整する調整金具２６で調製して終了したら運転スイッチ２４を停止して、杭５の打撃受け金具１３のガイド金具１４の固定金具１６を外して開き打撃受け金具１３の打撃間隔分を持ち上げて杭打ち機２５を外して最後に打撃受け金具１３を外して終了し、この繰り返しで杭５を打つことを提供する。
【０００６】
尚、本発明の実施に当たって次の様なことができる。
（イ）　ひとりで安全で容易に杭が打ち込めるので、作業の省力化ができる。
（ロ）　杭の垂直の調整や頭出しを均一にすることを容易にできる。
（ハ）　杭打ち機を大規模にしてクレーンや架台等に設けることにより長い杭や大規模の杭を打ち込むことが可能である。
【０００７】
【本発明の効果】
本発明によって、建築現場や造園業者等の杭打ちは、体力を必要とする人力で行なっていた作業を機械化して、ひとりで容易に杭が打ち込めて、木製のカケヤや鋼製の大ハンマーを振り回すことがなく安全で、杭の垂直の調整や頭出しを均一にすることが容易にできるので、杭打ち作業の労力と時間を大幅に短縮して省力化することができる。
【図面の簡単な説明】
【図１】本発明の側面図
【図２】本発明の平面図
【符号の説明】
１は打撃用ケース
２は電動ギャモーターケース
３はガイド軸金棒
４はバネ
５は杭
６は打撃用重り金具
７は押し上げ受け金具
８は回転防止用のガイドローラー
９は斜角防止のガイドローラー
１０はスライドをさせる上下の間隔の両側の歯車
１１はガイドレール
１２は脱落防止受け金具
１３は打撃受け金具
１４はガイド金具
１５は蝶つがい
１６は固定金具
１７は安全カバー
１８は押し上げ金具
１９はチェーン
２０は連結金具
２１は電動ギャモーター
２２は電動ギャモーターの歯車
２３はチェーンの調整金具
２４運転スイッチ
２５は杭打ち機
２６は杭の調整金具
２７は取っ手
２８は下げ振り金具（垂直計）
【図１】
2004132149.tif 000003
【図２】
2004132149.tif 000004